(57)【要約】【課題】出力先機器でコンテンツを確実に再生できる画像表示システムおよび画像表示装置を提供する。【解決手段】画像表示手段２１５および制御手段２１１を備えた画像表示装置２と、画像表示装置２に接続され、コンテンツファイルを蓄積した第１外部機器（３，４，５，６，７）とを備えた画像表示システム１であって、制御手段２１１は、画像表示装置２または第１外部機器に蓄積されたコンテンツファイルを保存可能な第２外部機器（３，４，５，６，７）を探索する外部機器探索部と、探索された第２外部機器で再生可能なファイル形式を取得するファイル形式取得部と、画像表示装置に入力するコンテンツファイルのファイル形式を、ファイル形式取得部により取得されたファイル形式に変換するファイル形式変換部と、ファイル形式変換部により変換されたコンテンツファイルを、第２外部機器に出力するファイル出力部とを備える。【選択図】  図２
2006217529.tif 000002
【特許請求の範囲】
【請求項１】
入力される画像情報に応じた画像を表示する画像表示手段、および、この画像表示手段を含む装置全体を制御する制御手段を備えた画像表示装置と、この画像表示装置に接続され、画像情報および音声情報の少なくともいずれかを含むコンテンツファイルを蓄積した第１外部機器とを備えた画像表示システムであって、
前記制御手段は、
前記画像表示装置または前記第１外部機器に蓄積されたコンテンツファイルを保存可能な第２外部機器を探索する外部機器探索部と、
探索された前記第２外部機器で再生可能なファイル形式を取得するファイル形式取得部と、
前記画像表示装置に入力する前記コンテンツファイルのファイル形式を、前記ファイル形式取得部により取得されたファイル形式に変換するファイル形式変換部と、
前記ファイル形式変換部により変換された前記コンテンツファイルを、前記第２外部機器に出力するファイル出力部とを備えることを特徴とする画像表示システム。
【請求項２】
請求項１に記載の画像表示システムにおいて、
前記制御手段は、
前記ファイル形式取得部で取得したファイル形式から、前記ファイル形式変換部により変換されるコンテンツファイルのファイル形式を選択させるファイル形式選択画面を、前記画像表示手段に表示させる形式選択画面表示部を備え、
前記ファイル形式変換部は、前記選択画面で選択されたファイル形式で、前記コンテンツファイルのファイル形式変換を行うことを特徴とする画像表示システム。
【請求項３】
請求項１または請求項２に記載の画像表示システムにおいて、
前記外部機器探索部で探索した第２外部機器から、前記ファイル出力部により前記コンテンツファイルが出力される第２外部機器を選択させる外部機器選択画面を、前記画像表示手段に表示させる機器選択画面表示部を備え、
前記ファイル出力部は、前記外部機器選択画面で選択された第２外部機器に、前記変換されたコンテンツファイルを出力することを特徴とする画像表示システム。
【請求項４】
入力される画像情報に応じた画像を表示する画像表示手段と、当該画像表示手段を含む装置全体を制御する制御手段とを備えた画像表示装置であって、
前記制御手段に接続され、画像情報および音声情報の少なくともいずれかを含むコンテンツファイルを保存可能な外部機器と接続可能なインターフェースを備え、
前記制御手段は、
入力されるコンテンツファイルを、前記外部機器で再生可能なファイル形式に変換するファイル形式変換部と、
変換されたコンテンツファイルを、前記外部機器に出力するファイル出力部とを備えることを特徴とする画像表示装置。
【発明の詳細な説明】
【技術分野】
【０００１】
本発明は、入力される画像情報に応じた画像を表示する画像表示手段、および、この画像表示手段を含む装置全体を制御する制御手段を備えた画像表示装置と、この画像表示装置にネットワークを介して接続され、画像情報および音声情報の少なくともいずれかを含むコンテンツファイルを蓄積した外部機器とを備えた画像表示システム、ならびに、画像表示装置に関する。
【背景技術】
【０００２】
従来、入力される画像情報に応じた画像を表示する画像表示手段、および、この画像表示手段を含む装置全体を駆動制御する制御手段を備えた画像表示装置が知られている。また、このような画像表示装置に、画像情報および音声情報のうち少なくともいずれかを含むコンテンツファイル等が記憶された外部機器やＰＣ（Personal Computer）等を接続して、ホームネットワークを構築することが一般化しつつある。このようなホームネットワークでは、ネットワーク上に位置するデバイス（装置）間で、コンテンツファイル等の情報の共有化を図ることができ、デバイスを跨ったコンテンツファイルの再生および転送等を行うことができるように構成される。
【０００３】
しかしながら、このような一般的なホームネットワークでは、デバイス間でコンテンツファイルの転送を行う場合、当該コンテンツフィルのファイル形式が、転送先で保存できない可能性がある。特に、ホームネットワーク上で、異なるメディア（記録媒体）を備えて構成される機器を混在させて利用する場合、当該機器ごとに保存可能なファイル形式が異なることが通常である。このため、コンテンツファイルの転送を行う場合には、転送先の機器で保存できるようにコンテンツファイルのファイル形式を変換する必要がある。このような必要に応じて、メディア間でコンテンツファイルを転送する際に、当該メディアに応じたファイル形式の変換を行うメディア変換装置が知られている（例えば、特許文献１参照）。
【０００４】
この特許文献１に記載のメディア変換装置は、出力（転送）元のメディアに記録されるファイルのファイル形式（フォーマット）が、出力元として選択されうるメディアのそれぞれについて登録されているとともに、出力元のメディアから出力先のメディアに出力して書き込む際に使用すべきファイル形式が、出力先として選択されうるメディアのそれぞれについて登録されたフォーマット変換テーブルを備えている。そして、出力元メディアから出力先メディアにファイル出力（データ出力）を行う場合には、出力元メディアのファイルのファイル形式を出力先メディアで使用すべきファイル形式に変換可能か否か、および、当該ファイル形式に変換する変換プログラムが存在するか否かを調べ、当該変換プログラムによりファイル形式の変換を実行してファイルを転送する。これにより、使用者は、出力先メディアにファイル出力を行う際に、当該出力先メディアに応じたファイル形式を指定する必要がなくなるので、ファイル出力の際の使用者の操作を簡略化することができる。
【０００５】
【特許文献１】特開２００２−２５１８２号公報
【発明の開示】
【発明が解決しようとする課題】
【０００６】
しかしながら、特許文献１に記載のメディア変換装置は、メディアに対応したファイルのファイル形式変換を行うように構成されており、当該メディアを利用する機器が対応するファイル形式を考慮したものではない。このため、出力先メディアに保存可能なファイル形式のコンテンツファイルであっても、当該ファイル形式が、出力先メディアを利用する機器で再生できない可能性がある。例えば、特許文献１に記載のＰＣ（パソコン）が、ＨＤＤ（Hard Disk Drive）を備えたコンテンツ再生装置にネットワークを介して接続されているシステムにおいて、ＰＣから当該コンテンツ再生装置に対してＡＶＩ（Audio Video Interleaved）形式の動画コンテンツファイルが出力された場合、コンテンツ再生装置のＨＤＤは、当該動画コンテンツファイルを保存可能であるものの、再生装置自体がＡＶＩ形式のファイルを再生可能であるとは限らない。このような場合、当該コンテンツ再生装置では、出力され保存された動画コンテンツファイルの再生ができない。従って、コンテンツファイルを出力する際には、当該コンテンツファイルを出力先で再生可能な状態で出力することが望まれている。
【０００７】
本発明の目的は、出力先の機器で確実にコンテンツファイルを再生できる画像表示システムおよび画像表示装置を提供することである。
【課題を解決するための手段】
【０００８】
前記した目的を達成するために、本発明の画像表示システムは、入力される画像情報に応じた画像を表示する画像表示手段、および、この画像表示手段を含む装置全体を制御する制御手段を備えた画像表示装置と、この画像表示装置に接続され、画像情報および音声情報の少なくともいずれかを含むコンテンツファイルを蓄積した第１外部機器とを備えた画像表示システムであって、前記制御手段は、前記画像表示装置または前記第１外部機器に蓄積されたコンテンツファイルを保存可能な第２外部機器を探索する外部機器探索部と、探索された前記第２外部機器で再生可能なファイル形式を取得するファイル形式取得部と、前記画像表示装置に入力する前記コンテンツファイルのファイル形式を、前記ファイル形式取得部により取得されたファイル形式に変換するファイル形式変換部と、前記ファイル形式変換部により変換された前記コンテンツファイルを、前記第２外部機器に出力するファイル出力部とを備えることを特徴とする。
【０００９】
本発明によれば、画像表示装置に接続された第２外部機器に、当該第２外部機器で再生可能なファイル形式のコンテンツファイルを出力することができる。
すなわち、画像表示装置を構成する制御手段の外部機器探索部が、画像表示装置または第１外部機器に蓄積されたコンテンツファイルを保存可能な第２外部機器を探索する。そして、ファイル形式取得部が、外部機器探索部により探索された第２外部機器で再生可能なファイル形式を取得し、ファイル形式変換部が、画像表示装置または第１外部機器に蓄積されたコンテンツファイルを、取得したファイル形式に変換する。この変換されたコンテンツファイルは、外部機器探索部により探索され、かつ、再生可能なファイル形式が取得された第２外部機器に、ファイル出力部により出力される。
これによれば、画像表示装置の制御手段が、当該画像表示装置に接続され、コンテンツファイルを保存可能な第２外部機器を探索し、探索された第２外部機器で再生可能なファイル形式に変換したコンテンツファイルを、当該第２外部機器に出力することができる。従って、確実に再生可能なファイル形式のコンテンツファイルを、画像表示装置に接続された第２外部機器に出力することができる。
【００１０】
本発明では、前記制御手段は、前記ファイル形式取得部で取得したファイル形式から、前記ファイル形式変換部により変換されるコンテンツファイルのファイル形式を選択させるファイル形式選択画面を、前記画像表示手段に表示させる形式選択画面表示部を備え、前記ファイル形式変換部は、前記選択画面で選択されたファイル形式で、前記コンテンツファイルのファイル形式変換を行うことが好ましい。
本発明によれば、コンテンツファイルが出力される第２外部機器が、複数種類のファイル形式のファイルを再生可能である場合に、当該第２外部機器に、使用者が選択したファイル形式に変換したコンテンツファイルを出力することができる。
すなわち、形式選択画面表示部により画像表示手段に表示されるファイル形式選択画面で、コンテンツファイルのファイル形式を選択することにより、変換したコンテンツファイルを出力する第２外部機器が複数種類のファイル形式のファイルを再生可能な場合に、当該複数種類のファイル形式から、第２外部機器に出力するコンテンツファイルのファイル形式を選択することができる。従って、使用者の所望するファイル形式にコンテンツファイルを変換して、当該コンテンツファイルを第２外部機器に出力することができる。
【００１１】
本発明では、前記外部機器探索部で探索した第２外部機器から、前記ファイル出力部により前記コンテンツファイルが出力される第２外部機器を選択させる外部機器選択画面を、前記画像表示手段に表示させる機器選択画面表示部を備え、前記ファイル出力部は、前記外部機器選択画面で選択された第２外部機器に、前記変換されたコンテンツファイルを出力することが好ましい。
本発明によれば、コンテンツファイルを保存可能な第２外部機器が複数存在する場合に、使用者が選択した第２外部機器に、変換したコンテンツファイルを出力することができる。
すなわち、機器選択画面表示部が、外部機器探索部で探索された複数の第２外部機器から、コンテンツファイルを出力する第２外部機器を選択させる外部機器選択画面を、画像表示手段に表示させることにより、当該選択画面から、使用者が、コンテンツを出力する第２機器を選択することができる。従って、選択された第２外部機器に対して、ファイル出力部が、コンテンツファイルを出力することにより、使用者が選択した第２外部機器に、コンテンツファイルを出力することができる。
【００１２】
また、本発明の画像表示装置は、入力される画像情報に応じた画像を表示する画像表示手段と、当該画像表示手段を含む装置全体を制御する制御手段とを備えた画像表示装置であって、前記制御手段に接続され、画像情報および音声情報の少なくともいずれかを含むコンテンツファイルを保存可能な外部機器と接続可能なインターフェースを備え、前記制御手段は、入力されるコンテンツファイルを、前記外部機器で再生可能なファイル形式に変換するファイル形式変換部と、変換されたコンテンツファイルを、前記外部機器に出力するファイル出力部とを備えることを特徴とする。
【００１３】
本発明によれば、画像表示装置の制御手段を構成するファイル形式変換部が、当該画像表示装置にインターフェースを介して接続される外部機器に、当該外部機器で再生可能なファイル形式に、画像表示装置に入力するコンテンツファイルを変換する。そして、当該変換されたコンテンツファイルは、同じく制御手段を構成するファイル出力部により、インターフェースを介して接続された外部機器に出力される。これによれば、外部機器に出力されたコンテンツファイルは、当該外部機器により再生することができる。従って、出力するコンテンツファイルのファイル形式が、出力先である外部機器で再生可能なファイル形式か否かを使用者が意識せずに、当該外部機器に、コンテンツファイルを変換および出力することができる。
【発明を実施するための最良の形態】
【００１４】
以下、本発明の一実施形態を、図面に基づいて説明する。
図１は、本発明の画像表示システムとしてのテレビ受像システムの構成図である。
本実施形態のテレビ受像システム１は、図１に示すように、画像表示装置としてのテレビ受像機２と、当該テレビ受像機２に直接接続される携帯型画像表示装置３と、ネットワークＮを介してテレビ受像機２に接続されるメディアプレイヤ４、携帯型音楽再生装置５、携帯電話機６およびＰＣ７とを備えて構成されている。これら携帯型画像表示装置３、メディアプレイヤ４、携帯型音楽再生装置５、携帯電話機６およびＰＣ７は、本発明の第１外部機器に相当し、また、本発明の第２外部機器にも相当する。
【００１５】
（１）テレビ受像システム１の構成
テレビ受像機２は、受像機本体２１と、当該受像機本体２１に赤外線によって操作信号を出力するリモコン２２とを備えている。
このうち、リモコン２２には、詳しい図示を省略するが、受像機本体２１を操作する各種ボタンが配設されている。具体的には、このようなボタンとして、チャンネルを切り替えるための数字が表記されたチャンネルボタン、入力ソースを切り替える入力切替ボタン、音量を上下させる音量調節ボタン等が設けられている。また、後述するファイル出力／削除処理Ｓを受像機本体２１に実行させる処理開始ボタンや、当該ファイル出力／削除処理Ｓにおいて表示される画面の項目を選択する上下ボタン、選択した項目を確定する確定ボタン、および、前画面に戻す戻るボタンを備えている。
なお、リモコン２２は赤外線によって操作信号を出力するとしたが、電波によって送信するように構成してもよい。
【００１６】
携帯型画像表示装置３は、装着された半導体メモリカードに記録されたコンテンツファイルを再生する携帯型の画像表示装置である。この携帯型画像表示装置３は、液晶パネル等から構成される画像表示部と、スピーカ等から構成される音声出力部と、半導体メモリカードのリーダ／ライタと、装置全体を制御するＣＰＵ（Central Processing Unit）と、ＵＳＢ（Universal Serial Bus）インターフェースとを備えており、テレビ受像機２の受像機本体２１とは、当該ＵＳＢインターフェースを介して接続されている。
この携帯型画像表示装置３は、リーダ／ライタに接続された半導体メモリカードに記録されたコンテンツファイルを読み出して、ＣＰＵによって処理し、コンテンツファイルに含まれる画像情報に応じた画像を画像表示部で表示するとともに、当該コンテンツファイルに含まれる音声情報に応じた音声を音声出力部で出力する。
また、この携帯型画像表示装置３は、ＵＳＢインターフェースを介して接続されたテレビ受像機２から入力する制御信号に応じて、半導体メモリカードに蓄積されたコンテンツファイルを出力するとともに、当該携帯型画像表示装置３に入力するコンテンツファイルを半導体メモリカードに記録する。なお、このような携帯型画像表示装置３は、半導体メモリカードおよびリーダ／ライタの代わりに、ＨＤＤを備える構成としてもよい。
【００１７】
ここで、コンテンツファイルとは、画像情報および音声情報のうち、少なくともいずれかを含むデータファイルであり、このようなコンテンツファイルとしては、音声情報のみを含む音声ファイルと、少なくとも画像情報を含む画像ファイルとがある。このうち、音声ファイルとしては、ＭＰ３（MPEG1 Audio Layer-3）形式、ＡＴＲＡＣ３（Adaptive TRansform Acoustic Coding-3）形式、ＷＭＡ（Windows（登録商標） Media Audio）形式、および、ＴｗｉｎＶＱ（Transform-domain Weighted Interleave Vector Quantization）形式等のファイルが挙げられる。また、画像ファイルとしては、ＭＰＥＧ（Moving Picture Coding Experts Group／Moving Picture Experts Group）１〜４形式、ＷＭＶ（Windows（登録商標） Media Video）形式、ＡＶＩ（Audio Video Interleave）形式、ＭＯＶ（Quicktime（登録商標） Movie）形式、Ｈ．２６４／ＭＰＥＧ４  ＡＶＣ（H.264/ MPEG4 AVC（Advanced Video Coding））形式等のファイルが挙げられる。
【００１８】
メディアプレイヤ４、携帯型音楽再生装置５、携帯電話機６およびＰＣ７は、前述のように、テレビ受像機２の受像機本体２１とネットワークＮを介して接続されている。
このうち、メディアプレイヤ４は、当該メディアプレイヤ４に蓄積されたコンテンツファイルの再生と、入力するコンテンツファイルの記録とを行うものである。このメディアプレイヤ４は、具体的な図示を省略したが、内部に、ネットワークＮに接続するためのネットワークインターフェースと、ＨＤＤ（Hard Disk Drive）と、当該ＨＤＤに記録されたコンテンツファイルの処理、および、装置全体の制御を行うＣＰＵとを備えて構成されている。そして、このメディアプレイヤ４は、ＨＤＤに蓄積されたコンテンツファイルを再生して、メディアプレイヤ４に接続された機器に、当該コンテンツファイルに含まれる画像情報および音声情報を出力する。また、このメディアプレイヤ４は、当該メディアプレイヤ４にコンテンツファイルが入力した場合には、当該コンテンツファイルをＨＤＤに記録する。
【００１９】
携帯型音楽再生装置５は、内部にバッテリを備え、携帯が可能とされた音楽再生装置である。また、この携帯型音楽再生装置５は、ネットワークＮに接続するためのネットワークインターフェースと、音声出力部と、半導体メモリカードのリーダ／ライタと、装置全体を制御するＣＰＵとを備えている。そして、この携帯型音楽再生装置５では、リーダ／ライタが半導体メモリカードから、当該半導体メモリカードに記録された音声ファイルを読み取り、ＣＰＵが当該音声ファイルを再生処理して、音声ファイルに応じた音声信号を音声出力部に出力し、音声出力部が音声を出力する。また、この携帯型音楽再生装置５は、ＣＰＵの制御下で、当該携帯型音楽再生装置５に入力する音声ファイルを、リーダ／ライタにより半導体メモリカードに書き込ませる。なお、このような携帯型音楽再生装置５は、半導体メモリカードおよびリーダ／ライタの代わりに、ＨＤＤを備える構成としてもよい。
【００２０】
携帯電話機６は、無線通信によって他の携帯電話機６および固定電話機との通信が可能に構成されている。また、この携帯電話機６は、携帯型音楽再生装置５と同様に、画像表示部と、音声出力部と、半導体メモリカードのリーダ／ライタと、当該リーダ／ライタによって読み込んだ半導体メモリカードに記録されたコンテンツファイルの処理、および、装置全体の制御を行うＣＰＵとを備えている。そして、この携帯電話機６は、ＣＰＵにより、半導体メモリカードからリーダ／ライタを介して読み込んだコンテンツファイルを再生処理するだけでなく、当該携帯電話機６に入力するコンテンツファイルを半導体メモリカードに書き込む機能を有している。なお、このような携帯電話機６は、半導体メモリカードおよびリーダ／ライタの代わりに、ＨＤＤを備える構成としてもよい。
【００２１】
ＰＣ７は、ＨＤＤ、光学ドライブおよびＣＰＵ等を備えて構成される一般的なＰＣであり、ＨＤＤ、および、光学ドライブに装着された光学メディアからコンテンツファイルを読み出して、ＣＰＵにより再生処理するものである。また、このＰＣ７は、テレビ受像機２の受像機本体２１からの制御信号に応じて、ＨＤＤおよび光学メディアからコンテンツファイルを読み出して、受像機本体２１に出力したり、あるいは、当該ＨＤＤまたは光学メディアに、入力するコンテンツファイルを書き込んだりする機能を有している。
なお、このようなＰＣ７には、ネットワークＮを介して、受像機本体２１から入力する制御信号に応じた処理を行うプログラムが記憶されており、当該プログラムは、ＰＣ７上で常時起動している。
【００２２】
（２）受像機本体２１の構成
図２は、テレビ受像機２の受像機本体２１の構成を示すブロック図である。
受像機本体２１は、図２に示すように、制御基板２１１と、インターフェース基板２１３と、スピーカ２１４と、画像表示部２１５と、ＨＤＤ２１６とを備えて構成されている。
このうち、スピーカ２１４は、制御基板２１１の後述する音声信号処理回路２１１３に接続され、当該音声信号処理回路２１１３から出力される音声信号に応じた音声を出力する。
また、画像表示部２１５は、本発明の画像表示手段に相当し、液晶パネルおよび液晶パネル駆動回路によって構成されている。すなわち、本実施形態の受像機本体２１は、液晶テレビとして構成されている。
さらに、ＨＤＤ２１６は、コンテンツファイルを記憶する記憶手段に相当し、制御基板２１１の後述するシステムコントローラ２１２１に接続されている。このＨＤＤ２１６は、システムコントローラ２１２１の制御下で、当該ＨＤＤに記憶されたコンテンツファイルの読み込み、および、受像機本体２１に入力したコンテンツファイルの書込みを行う。
【００２３】
また、インターフェース基板２１３は、受像機本体２１と外部機器とを接続する。このインターフェース基板２１３は、入出力信号の変換等を行うものであり、後述する制御基板２１１のシステムコントローラ２１２１と電気的に接続されている。このインターフェース基板２１３は、リモコンインターフェース（リモコンＩＦ）２１３１と、外部インターフェース（外部ＩＦ）２１３２と、ネットワークインターフェース（ネットワークＩＦ）２１３３と、インターフェースコントローラ２１３４とを備えている。
【００２４】
リモコンインターフェース２１３１は、リモコン２２から送信される操作信号を受信して、当該操作信号を受像機本体２１で処理可能な形式の制御信号に変換する。この制御信号は、システムコントローラ２１２１を介して後述するＣＰＵ２１１８に出力され、当該ＣＰＵ２１１８で処理されて、受像機本体２１の駆動が制御される。
外部インターフェース２１３２は、ＵＳＢ端子およびＩＥＥＥ１３９４端子等を備え、ＵＳＢ端子に携帯型画像表示装置３が接続されている。なお、これらの接続端子には、それぞれポート番号が設定されている。
ネットワークインターフェース２１３３は、ネットワークＮに接続するためのものであり、当該ネットワークインターフェース２１３３を介して、受像機本体２１は、ネットワークＮ上の機器とデータ通信を行う。
インターフェースコントローラ２１３４は、リモコンインターフェース２１３１、外部インターフェース２１３２およびネットワークインターフェース２１３３に接続され、これらを制御して、インターフェース基板２１３におけるデータの入出力を制御する。
【００２５】
制御基板２１１は、受像機本体２１の装置全体の駆動制御を行うとともに、ＨＤＤ２１６に記憶されたコンテンツファイル、後述するインターフェース基板２１３を介してネットワークＮから入力されるコンテンツファイル、および、放送信号を処理するものであり、本発明の制御手段に相当する。
この制御基板２１１は、チューナ２１１１と、デマルチプレクサ２１１２と、音声信号処理回路２１１３と、画像信号処理回路２１１４と、描画処理回路２１１５と、フレームメモリ２１１６と、画像出力回路２１１７と、ＣＰＵ２１１８と、ＲＯＭ（Read Only Memory）２１１９と、ＲＡＭ（Random Access Memory）２１２０と、システムコントローラ２１２１とを備えて構成され、これらがバスＢを介して互いに接続されている。
【００２６】
チューナ２１１１は、アンテナから入力する放送信号から、使用者が選択したチャンネルに応じた周波数の放送信号を選択して受信し、一定周波数の信号に変換して出力する。
デマルチプレクサ２１１２は、チューナ２１１１により変換された信号から、音声情報および画像情報を分離、抽出し、抽出した音声情報を音声信号処理回路２１１３に出力し、同じく抽出した画像情報を画像信号処理回路２１１４に出力する。
音声信号処理回路２１１３は、デマルチプレクサ２１１２で分離された音声情報、および、システムコントローラ２１２１から入力する音声情報を処理して、スピーカ２１４を介して、当該音声情報に応じた音声を出力する。
【００２７】
画像信号処理回路２１１４は、デマルチプレクサ２１１２で分離された画像情報、および、システムコントローラを介して入力する画像情報を処理して、再生可能な１フレームごとの画像情報にデコードする。
描画処理回路２１１５は、スケーラおよびＯＳＤ処理回路を備えて構成されている。このうち、スケーラは、画像表示部２１５の解像度に合うように、表示画像のスケールを調整する。また、ＯＳＤ処理回路は、ＲＯＭ２１１９およびＲＡＭ２１２０を参照して、これらに記憶された各種情報に基づくＯＳＤメニュー画像を生成する。
フレームメモリ２１１６は、描画処理回路２１１５および画像出力回路２１１７に接続され、画像表示部２１５で表示される画像の１フレームに相当する情報を描画処理回路２１１５から受け取って記憶し、画像出力回路２１１７に出力する。
画像出力回路２１１７は、フレームメモリ２１１６に書き込まれた表示画像の情報を、表示画像信号として画像表示部２１５に出力する。
すなわち、描画処理回路２１１５、フレームメモリ２１１６および画像出力回路２１１７は、本発明の形式選択画面表示部および機器選択画面表示部に相当する。
【００２８】
ＲＯＭ２１１９は、受像機本体２１の設定データや、ＣＰＵ２１１９で実行されるプログラム、例えば、受像機本体２１の制御プログラムや、後述するファイル出力／削除処理Ｓを実行するファイル出力／削除処理プログラム等が記憶されている。
また、ＲＡＭ２１２０は、ＲＯＭ２１１９内に記憶された設定データおよびプログラムが、ＣＰＵ２１１８で利用される際に、一時的に記憶される。また、このＲＡＭ２１２０は、後述するファイル出力／削除処理Ｓにおける各種情報が一時的に記憶される。
【００２９】
システムコントローラ２１２１は、ＣＰＵ２１１８の機能を補助するものであり、主に制御基板２１１に対するデータ入出力を制御する。このシステムコントローラ２１２１には、図２に示すように、ＨＤＤ２１６およびインターフェース基板２１３が接続されており、ＨＤＤ２１６に記録されたコンテンツ等の情報の読込み、および、当該ＨＤＤ２１６への情報の書込みを制御するとともに、インターフェース基板２１３に対するデータの入出力制御を行う。
【００３０】
（３）ＣＰＵ２１１８の機能分類
図３は、ＣＰＵ２１１８の機能分類を示すブロック図である。
ＣＰＵ２１１８は、制御基板２１１全体の駆動制御を行うものであり、各構成部品に制御信号を出力する。また、このＣＰＵ２１１８は、テレビ受像システム１上に存在するコンテンツファイルのファイル形式変換を行い、当該変換したコンテンツファイルを、受像機本体２１に接続された外部機器に出力するファイル出力／削除処理Ｓを実行する。このため、ＣＰＵ２１１８は、外部機器探索部２１１８Ａと、出力元機器選択画面表示指示部２１１８Ｂと、コンテンツファイル探索部２１１８Ｃと、ファイル選択画面表示指示部２１１８Ｄと、出力先機器選択画面表示指示部２１１８Ｅと、ファイル形式取得部２１１８Ｆと、ファイル形式選択画面表示指示部２１１８Ｇと、ファイル形式変換部２１１８Ｈと、ファイル出力部２１１８Ｉと、処理画面表示指示部２１１８Ｊに分類される機能処理部を備えている。
【００３１】
外部機器探索部２１１８Ａは、受像機本体２１に接続されている外部機器を探索するものである。すなわち、外部機器探索部２１１８Ａは、ネットワークインターフェース２１３３に、ネットワークＮを介して接続される外部機器のうち、コンテンツファイルの入出力が可能な外部機器を探索する。そして、この外部機器探索部２１１８Ａは、抽出した外部機器の機器情報、例えば、ＩＰアドレスや、機器名称、機器種別等を取得して、ＲＡＭ２１２０に書き込む。
【００３２】
出力元機器選択画面表示指示部２１１８Ｂは、外部機器探索部２１１８Ａにより抽出された外部機器のうち、後述するファイル形式変換部で変換するコンテンツファイルの出力元を選択させる出力元機器選択画面の画像形成を指示する。具体的には、出力元機器選択画面表示指示部２１１８Ｂは、描画処理回路２１１５に、出力元機器選択画面の画像形成信号を出力する。この画像形成信号が入力した描画処理回路２１１５は、ＲＡＭ２１２０に記憶された機器情報、および、ＲＯＭ２１１９に記憶された画像テンプレートから出力元機器選択画面の画像形成を実行し、フレームメモリ２１１６に出力する。
【００３３】
コンテンツファイル探索部２１１８Ｃは、出力元機器選択画面で選択された外部機器にアクセスして、当該外部機器に保存されたコンテンツファイルの情報を取得する。具体的に、コンテンツファイル探索部２１１８Ｃは、選択された外部機器に対して、当該外部機器に保存されているコンテンツファイルの情報を問い合わせる制御信号を出力する。そして、当該制御信号が入力した外部機器は、例えば、保存されているファイル名、および、当該ファイルのファイル形式を示す拡張子情報等をコンテンツファイル探索部２１１８Ｃに出力する。このようにして得られたファイル情報は、コンテンツファイル探索部２１１８Ｃにより、ＲＡＭ２１２０に書き込まれ、保存される。
【００３４】
ファイル選択画面表示指示部２１１８Ｄは、出力元機器選択画面で選択された外部機器に保存されたコンテンツファイルのうち、出力するコンテンツファイルを選択させるファイル選択画面の画像形成を指示する。すなわち、ファイル選択画面表示指示部２１１８Ｄは、コンテンツファイル探索部２１１８Ｃにより取得されたコンテンツファイルの情報から、コンテンツファイルを選択させるファイル選択画面の画像形成を、描画処理回路２１１５に指示する。具体的に、ファイル選択画面表示指示部２１１８Ｄは、描画処理回路２１１５に、ファイル選択画面の画像形成信号を出力する。この画像形成信号が入力した描画処理回路２１１５は、ＲＡＭ２１２０に記憶されたファイル情報から、ファイル選択画面の画像形成を実行し、フレームメモリ２１１６に出力する。
【００３５】
このようなファイル選択画面では、コンテンツファイルの選択だけでなく、出力方式、すなわち、当該コンテンツファイルの送信、保存および削除のうち、いずれかを選択することができる。
ここで、ファイルの送信とは、コンテンツファイルのストリーミング配信を示している。従って、送信が選択された場合には、選択されたコンテンツファイルに基づいてストリーミング配信用のデータを生成し、後述する出力先選択画面にて選択された機器に出力する。また、ファイルの保存とは、選択されたコンテンツファイルをコピーし、当該コピーしたコンテンツファイルを必要に応じてファイル形式の変換を行った後、自機または他の機器に保存することを示している。ファイルの削除は、選択されたコンテンツファイルを電気的に削除することを示している。
【００３６】
出力先機器選択画面表示指示部２１１８Ｅは、後述するファイル形式変換部２１１８Ｈで変換したコンテンツファイルの出力先となる外部機器を選択させる出力先機器選択画面の形成指示を行う。具体的に、出力先機器選択画面表示指示部２１１８Ｅは、描画処理回路２１１５に、出力先機器選択画面の形成信号を出力する。そして、当該形成信号が入力した描画処理回路２１１５は、ＲＡＭ２１２０に記憶された機器情報、および、ＲＯＭ２１１９に記憶された画像テンプレートから出力先機器選択画面の画像形成を実行し、フレームメモリ２１１６に出力する。
【００３７】
ファイル形式取得部２１１８Ｆは、出力先機器選択画面により選択された外部機器で再生可能なコンテンツファイルのファイル形式を取得する。具体的に、ファイル形式取得部２１１８Ｆは、選択された外部機器に対して、当該外部機器が再生可能なファイル形式を問い合わせる制御信号を出力する。当該信号が入力した外部機器は、当該外部機器で再生可能なファイル形式を含む情報を、ファイル形式取得部２１１８Ｆに出力する。このようにして得られたファイル形式情報は、ファイル形式取得部２１１８Ｆにより、ＲＡＭ２１２０に記憶され、保存される。
【００３８】
ファイル形式選択画面表示指示部２１１８Ｇは、ファイル選択画面で選択されたコンテンツファイルを、ファイル形式取得部２１１８Ｆで取得されたファイル形式のうち、どのファイル形式で出力するかを選択させるファイル形式選択画面の画像形成を指示する。具体的に、ファイル形式選択画面表示指示部２１１８Ｇは、描画処理回路２１１５に、ファイル形式選択画面の画像形成信号を出力する。当該画像形成信号が入力した描画処理回路２１１５は、ファイル形式取得部２１１８Ｆにより取得され、ＲＡＭ２１２０に記憶されたファイル形式情報、および、ＲＯＭ２１１９に記憶された画像テンプレートから、ファイル形式選択画面の画像形成を実行し、フレームメモリ２１１６に出力する。
【００３９】
ファイル形式変換部２１１８Ｈは、ファイル形式選択画面で選択されたファイル形式に、ファイル選択画面で選択されたコンテンツファイルを変換する。具体的に、ファイル形式変換部２１１８Ｈは、選択されたコンテンツファイルを、出力元機器選択画面から選択された機器から読み出して、一時的にＨＤＤ２１６に記憶させる。この後、ファイル形式変換部２１１８Ｈは、ＨＤＤ２１６に記憶させたコンテンツファイルをファイル形式選択画面で選択されたファイル形式に変換するプログラムを、ＲＯＭ２１１９またはＨＤＤ２１６から読み出して当該プログラムを実行する。そして、ファイル形式変換部２１１８Ｈは、変換されたコンテンツファイルのファイル変換を実行し、当該コンテンツファイルを、一時的にＨＤＤ２１６に保存する。
ここで、ファイル選択画面で選択されたコンテンツファイルのファイル形式と、ファイル形式選択画面で選択されたファイル形式とが同一である場合には、ファイル形式変換部２１１８Ｈは、ファイル形式の変換処理を実行せずに、当該コンテンツファイルを、一時的にＨＤＤ２１６に保存する。
【００４０】
ファイル出力部２１１８Ｉは、ファイル形式変換部２１１８Ｈにより変換したコンテンツファイルを、出力先機器選択画面で選択された機器に出力する。ここで、ファイル出力部２１１８Ｉは、ファイル選択画面で送信が選択されている場合には、生成したデータのストリーミング配信を行う。また、保存が選択されている場合には、ＨＤＤ２１６に一時的に記憶されたコンテンツファイルを、出力先の機器に出力する。なお、選択された機器が、受像機本体２１である場合には、ＨＤＤ２１６に一時的に記憶されたコンテンツファイルを、一時フォルダから正式なフォルダに移動する。
【００４１】
処理画面表示指示部２１１８Ｊは、ファイル出力部２１１８Ｉによるコンテンツファイルの出力時に、処理中画面および処理完了画面の画像生成を指示する。また、ファイル選択画面において、削除が選択された場合に、削除処理の確認画面および削除完了画面の画像形成を指示する。具体的に、処理画面表示指示部２１１８Ｊは、描画処理回路２１１５に、ファイル出力時の処理中および処理完了時と、ファイル削除時の確認時および削除完了時とに、それぞれの画像形成信号を出力する。このような画像形成信号が入力した描画処理回路２１１５は、それぞれの画像形成信号に応じた画像を形成し、フレームメモリ２１１６に出力する。なお、ファイル出力時の処理中画面は、処理進捗がインジケータ表示され、これによって進捗状況が認識できる画面とされている。
【００４２】
（４）ファイル出力／削除処理Ｓの処理内容
（4-1）全体の処理
図４は、ファイル出力／削除処理Ｓの処理フローを示す図である。
ファイル出力／削除処理Ｓは、前述したテレビ受像機２のリモコン２２に設けられた処理開始ボタンが入力され、当該処理開始ボタンの入力によってリモコン２２から出力される処理開始信号が、受像機本体２１に入力することによって開始する。
このファイル出力／削除処理Ｓでは、図４に示すように、最初に、ＣＰＵ２１１８の外部機器探索部２１１８Ａによる外部機器の探索を行う（処理Ｓ１）。この処理Ｓ１では、受像機本体２１に直接接続された機器と、受像機本体２１とネットワークＮを介して接続される機器が探索される。この処理Ｓ１においては、本実施形態では、外部機器として、受像機本体２１に直接接続される携帯型画像表示装置３と、受像機本体２１にネットワークを介して接続されるメディアプレイヤ４、携帯型音楽再生装置５、携帯電話機６およびＰＣ７とが抽出される。
【００４３】
図５は、出力元機器選択画面を示す図である。なお、以下の画面を説明する図における「↑／↓移動」は、リモコン２２の上下ボタンの操作によって項目選択が移動することを示し、「○決定」は、確定キーの入力により選択項目の確定が行われ、「×戻る」は戻るボタンの入力により前画面に戻る。図５の画面において、戻るボタンが入力された場合には、ファイル出力／削除処理Ｓは終了する。
処理Ｓ１の後、抽出した外部機器、および、ＨＤＤ２１６を備えた受像機本体２１を一覧表示して、出力または削除するコンテンツファイルが保存された機器を使用者に選択させる、図５のような出力元機器選択画面を表示する（処理Ｓ２）。具体的に、処理Ｓ２では、出力元機器選択画面表示指示部２１１８Ｂが、当該画面を形成・表示する制御信号を描画処理回路２１１５に出力し、当該描画処理回路２１１５が、処理Ｓ１によって抽出された外部機器の名称等を元に、受像機本体２１を含む出力元機器選択画面を形成する。この出力元機器選択画面の画像は、前述のように、フレームメモリ２１１６および画像出力回路２１１７を介して、画像表示部２１５で表示される。
なお、図５では、処理Ｓ１で抽出した外部機器の情報および受像機本体２１から、機器名としての当該外部機器の機器名称、種別としての当該外部機器のデバイス名、および、Ｉ／Ｆとしての当該外部機器と受像機本体２１との接続態様を表示している。また、図５では、出力元機器として、メディアプレイヤ４が選択された状態とされている。
【００４４】
この後、図４に示すように、制御基板２１１は、出力元機器選択画面において項目（機器名称）が選択されるのを待機し（処理Ｓ３）、当該制御基板２１１のＣＰＵ２１１８は、リモコン２２の確定ボタンの入力に応じた制御信号が入力したか否かを判定する（処理Ｓ４）。
ここで、確定ボタンまたは戻るボタンの入力に応じた制御信号が入力していないと判定された場合には、処理Ｓ３に戻って、信号待機状態を継続する。
【００４５】
一方、確定ボタンの入力に応じた制御信号が入力したと判定された場合には、出力元機器選択画面において選択された外部機器に保存されたコンテンツファイルのファイル情報を取得する（処理Ｓ５）。具体的に、処理Ｓ５では、コンテンツファイル探索部２１１８Ｃが、選択された外部機器にアクセスして、当該外部機器の記憶媒体に保存されたコンテンツファイルのファイル名等のファイル情報を取得する。取得したファイル情報は、コンテンツファイル探索部２１１８Ｃによって、ＲＡＭ２１２０に記憶される。
【００４６】
図６および図７は、ファイル選択画面を示す図である。詳述すると、図６は、ファイル選択画面においてファイルが選択されるまでの画面を示し、図７は、ファイルが選択され、当該ファイルの処理形式が選択されるまでの画面を示している。
処理Ｓ５によってファイル情報が取得されると、当該ファイル情報に基づいて、送信、保存または削除処理を実行するコンテンツファイルを選択させるファイル選択画面が表示される（処理Ｓ６）。
具体的に、処理Ｓ６では、ファイル選択画面表示指示部２１１８Ｄが、描画処理回路２１１５に、ファイル選択画面の画像形成信号を出力し、描画処理回路２１１５では、当該画像形成信号に応じて、図６に示すようなファイル選択画面を形成する。なお、図６においては、メディアプレイヤ４に保存された「BBB.mpg」ファイルが選択されている。
また、このファイル選択画面でファイルが選択された場合、図７に示すように、当該ファイルの処理形式を選択させるメニューが同一画面上に表示される。なお、図７においては、処理形式として「送信」が選択されている。
【００４７】
このような処理Ｓ６の後、制御基板２１１は、ファイル選択画面において項目（ファイル名および処理形式）が選択されるのを待機し（処理Ｓ７）、当該制御基板２１１のＣＰＵ２１１８は、リモコン２２の確定ボタンの入力に応じた制御信号が入力したか否かを判定する（処理Ｓ８）。
ここで、確定ボタンまたは戻るボタンの入力に応じた制御信号が入力していないと判定された場合には、処理Ｓ３に戻って、信号待機状態を継続する。
【００４８】
一方、確定ボタンの入力に応じた制御信号が入力し、項目が選択されたと判定された場合には、選択された処理形式の判定が行われる（処理Ｓ９）。
この処理Ｓ９において、ファイルの処理形式として、「送信」が選択されたと判定された場合には、送信処理を行う（処理Ｓ１０）。また、「保存」が選択されたと判定された場合は、保存処理を行い（処理Ｓ２０）、「削除」が選択されたと判定された場合は、削除処理を行う（処理Ｓ４０）。
【００４９】
（4-2）送信処理Ｓ１０
図８は、送信処理Ｓ１０の処理フローを示す図である。また、図９は、送信先機器選択画面を示す図である。
送信処理Ｓ１０は、図４および図７に示すように、ファイル選択画面で選択されたファイルの処理形式として送信が選択された場合に実行され、選択されたコンテンツファイルのストリーミング処理を行う。この送信処理Ｓ１０は、図８に示すように、最初に、ファイル選択画面で選択されたコンテンツファイルの送信先を選択させる送信先機器選択画面を表示する（処理Ｓ１１）。具体的に、この処理Ｓ１１では、出力先機器選択画面表示指示部２１１８Ｅが、描画処理回路２１１５に送信先機器選択画面の画像形成信号を出力する。描画処理回路２１１５は、当該画像形成信号に応じて、ＲＯＭ２１１９およびＲＡＭ２１２０を参照して、図９に示すような送信先機器選択画面の画像を形成し、フレームメモリ２１１６および画像出力回路２１１７を介して、送信先機器選択画面を画像表示部２１５に表示する。
なお、図９の例では、送信先機器としてＰＣ７が選択されている。
【００５０】
この処理Ｓ１１の後、制御基板２１１は、図８に示すように、送信先機器選択画面において項目（機器名称）が選択されるのを待機し（処理Ｓ１２）、当該制御基板２１１のＣＰＵ２１１８は、リモコン２２の確定ボタンの入力に応じた制御信号が入力したか否かを判定して、項目選択が確定したかを判定する（処理Ｓ１３）。
ここで、確定ボタンまたは戻るボタンの入力に応じた制御信号が入力していないと判定された場合には、処理Ｓ１２に戻って、信号待機状態を継続する。
【００５１】
一方、確定ボタンの入力に応じた制御信号が入力し、送信先機器が選択されたと判定された場合には、ファイル形式変換部２１１８Ｈが、出力元機器である外部機器にアクセスして、処理Ｓ８で選択されたと判定されたコンテンツファイルを、受像機本体２１に設けられたＨＤＤ２１６に一時的に保存する。そして、ファイル形式変換部２１１８Ｈは、当該保存されたコンテンツファイルに基づいたストリーミング用のファイルを生成する（処理Ｓ１４）。この処理Ｓ１４により生成されたストリーミング用ファイルは、同じくＨＤＤ２１６に一時的に保存される。
【００５２】
この処理Ｓ１４の後、図８に示すように、ファイル出力部２１１８Ｉが、送信先機器として選択された外部機器、前述の例ではＰＣ７に対して、ストリーミング用ファイルの配信を開始する（処理Ｓ１５）。この配信に応じて、ＰＣ７では、入力するストリーミング用ファイルをリアルタイムで再生処理し、ＰＣ７のモニタに画像を表示する。
【００５３】
図１０は、ファイル配信中画面を示す図である。
処理Ｓ１５におけるファイル配信中は、図８に示すように、ファイル配信中画面を表示する（処理Ｓ１６）。具体的に、処理Ｓ１６では、処理画面表示指示部２１１８Ｊが、描画処理回路２１１５に、ファイル出力部２１１８Ｉによるファイル配信の進捗状況に応じたファイル配信中画面の画像形成信号を出力し、描画処理回路２１１５は、当該画像形成信号に応じたファイル配信中画面の画像を形成する。なお、図１０においては、ファイル配信の進捗状況が、インジケータ表示されている。
【００５４】
この処理Ｓ１６におけるファイル配信中画面の表示に伴い、ＣＰＵ２１１８では、ファイル出力部２１１８Ｉによるファイル配信状況の監視が行われ、ファイル配信が終了したか否かを判定している（処理Ｓ１７）。
ここで、ファイル配信が終了していないと判定された場合には、引き続きファイルのストリーミング配信を実行するとともに、処理Ｓ１６に戻って、ファイル配信中画面の表示を継続する。
【００５５】
図１１は、ファイル配信終了画面を示す図である。
一方、ファイル配信が終了したと判定された場合には、ファイルのストリーミング配信が終了した旨を示す配信終了画面を表示する（処理Ｓ１８）。具体的に、処理Ｓ１８では、処理画面表示指示部２１１８Ｊが、ファイルの配信終了とともに、描画処理回路２１１５に、ファイル配信終了画面の画像形成信号を出力し、描画処理回路２１１５は、当該画像形成信号に応じた図１１に示すようなファイル配信終了画面の画像形成を実行する。そして、形成されたファイル配信終了画面は、フレームメモリ２１１６および画像出力回路２１１７を介して、画像表示部２１５に出力され表示される。この後、送信処理Ｓ１０は終了し、ファイル出力／削除処理Ｓも終了する。
【００５６】
（4-3）保存処理Ｓ２０
図１２は、保存処理Ｓ２０の処理フローを示す図である。また、図１３は、ファイル選択画面で処理形式として保存が選択された場合の画面を示す図であり、図１４は、保存先機器選択画面を示す図である。
保存処理Ｓ２０は、図４および図１３に示すように、ファイル選択画面で選択されたファイルの処理形式として保存が選択された場合に実行される。
この保存処理Ｓ２０では、図１２に示すように、最初に、ファイル選択画面で選択されたコンテンツファイルの保存先を選択させる保存先機器選択画面を表示する（処理Ｓ２１）。具体的に、この処理Ｓ２１では、出力先機器選択画面表示指示部２１１８Ｅが、描画処理回路２１１５に保存先機器選択画面の画像形成信号を出力する。描画処理回路２１１５は、当該画像形成信号に応じて、ＲＯＭ２１１９およびＲＡＭ２１２０を参照して、図１４に示すような保存先機器選択画面の画像を形成し、フレームメモリ２１１６および画像出力回路２１１７を介して、保存先機器選択画面を画像表示部２１５に表示する。
なお、図１４では、保存先機器として、受像機本体２１にＵＳＢ端子を介して接続された携帯型画像表示装置３が選択されている。
【００５７】
この処理Ｓ２１の後、制御基板２１１は、図１２に示すように、保存先機器選択画面において項目（機器名称）が選択されるのを待機し（処理Ｓ２２）、当該制御基板２１１のＣＰＵ２１１８は、リモコン２２の確定ボタンの入力に応じた制御信号が入力したか否かを判定して、項目選択が行われたかを判定する（処理Ｓ２３）。
ここで、確定ボタンまたは戻るボタンの入力に応じた制御信号が入力していないと判定された場合には、処理Ｓ２２に戻って、信号待機状態を継続する。
【００５８】
一方、確定ボタンの入力に応じた制御信号が入力し、保存先機器が選択されたと判定された場合には、ファイル形式取得部２１１８Ｆが、保存先機器である外部機器、前述の例では携帯型画像表示装置３にアクセスして、当該携帯型画像表示装置３で再生可能なファイル形式情報を取得する（処理Ｓ２４）。取得したファイル形式情報は、当該ファイル形式取得部２１１８Ｆにより、ＲＡＭ２１２０に記憶される。
【００５９】
ここで、ファイル形式取得部２１１８Ｆは、処理Ｓ６によるファイル選択画面から選択され、処理Ｓ８で選択が確認されたコンテンツファイルが、音声ファイルである場合には、保存先機器として選択された外部機器で再生可能な音声ファイルのファイル形式情報を取得し、画像ファイルである場合には、当該外部機器で再生可能な画像ファイルのファイル形式情報を取得する。
この処理Ｓ２４の後、ＣＰＵ２１１８は、当該処理Ｓ２４により、選択された保存先機器で再生可能なファイル形式の取得ができたか否かを判定する（処理Ｓ２５）。
【００６０】
図１５は、再生可能なファイル形式情報が取得できた場合のファイル形式選択画面を示す図である。また、図１６は、ファイル形式情報が取得できなかった場合のファイル形式選択画面を示す図である。
ここで、ファイル形式情報の取得ができたと判定された場合には、図１２に示すように、取得したファイル形式情報を一覧表示して、保存先機器で再生可能なファイル形式のうち、いずれかのファイル形式を選択させる図１５のようなファイル形式選択画面を表示する（処理Ｓ２６）。
【００６１】
一方、ファイル形式情報の取得ができなかったと判定された場合には、図１２に示すように、ファイル形式変換部２１１８Ｈが、処理Ｓ８で選択されたコンテンツファイルを変換可能な全てのファイル形式を一覧表示し、当該ファイル形式から選択されたコンテンツファイルを変換するファイル形式を選択させるファイル形式選択画面を表示する（処理Ｓ２７）。ここで、処理Ｓ２７において表示されるファイル形式選択画面では、選択されたコンテンツファイルが音声ファイルである場合には、音声ファイルに係るファイル形式が表示され、画像ファイルである場合には、画像ファイルに係るファイル形式が表示される。
なお、図１５および図１６では、選択されたコンテンツファイルが「mpg」ファイルであるのに対して、変換するファイル形式として、同じく画像ファイルのファイル形式である「ＭＰＥＧ４」が選択されている。
【００６２】
具体的に、これら処理Ｓ２６，２７では、ファイル形式選択画面表示指示部２１１８Ｇが、描画処理回路２１１５に対して、処理Ｓ２５における判定状態に応じたファイル形式選択画面の画像形成信号を出力し、描画処理回路２１１５は、当該画像形成信号に応じた画像を、ＲＯＭ２１１９およびＲＡＭ２１２０を参照して形成し、フレームメモリ２１１６および画像出力回路２１１７を介して、画像表示部２１５に表示する。
【００６３】
この後、制御基板２１１は、図１２に示すように、ファイル形式選択画面において項目（ファイル形式）が選択されるのを待機し（処理Ｓ２８）、当該制御基板２１１のＣＰＵ２１１８は、リモコン２２の確定ボタンの入力に応じた制御信号が入力したか否かを判定して、項目選択が行われたかを判定する（処理Ｓ２９）。
ここで、確定ボタンまたは戻るボタンの入力に応じた制御信号が入力していないと判定された場合には、処理Ｓ２８に戻って、信号待機状態を継続する。
【００６４】
一方、確定ボタンの入力に応じた制御信号が入力し、ファイル形式が選択されたと判定された場合には、ファイル形式変換部２１１８Ｈは、ファイル選択画面で選択されたコンテンツファイルのファイル形式を、ファイル形式選択画面で選択されたファイル形式に変換したコンテンツファイルを生成する（処理Ｓ３０）。具体的に、処理Ｓ３０では、出力元機器選択画面で選択された機器にアクセスして、選択されたコンテンツファイルを、受像機本体２１のＨＤＤ２１６に一時的に保存する。この後、保存したコンテンツファイルのファイル形式を、選択されたファイル形式に変換するプログラムをＲＯＭ２１１９から読み出す。そして、当該プログラムを実行して、一時的に保存してコンテンツファイルのファイル形式を変換して、保存用のコンテンツファイルを生成する。この生成されたコンテンツファイルは、同じくＨＤＤ２１６に一時的に保存される。
なお、出力元機器が受像機本体２１のＨＤＤ２１６であった場合には、選択されたコンテンツファイルをＨＤＤ２１６に保存しない構成としてもよい。
【００６５】
処理Ｓ３０によるファイル形式を変換したコンテンツファイルの生成が終わると、保存先機器選択画面にて選択された保存先機器に対して、当該生成したコンテンツファイルの出力を開始する（処理Ｓ３１）。具体的に、処理Ｓ３１では、ファイル出力部２１１８Ｉが、ファイル形式変換部２１１８Ｈにより生成され、ファイル形式が変換されたコンテンツファイルを、保存先機器として選択された外部機器に出力する。この際、当該外部機器がネットワークを介して受像機本体２１に接続されている場合には、保存先機器のＩＰアドレス等の情報を付加させて出力する。このようなコンテンツファイルが入力した外部機器は、入力するコンテンツファイルを、当該外部機器が有する記憶媒体に書き込む。
なお、保存先機器として、受像機本体２１が選択されている場合には、ファイル出力部２１１８Ｉは、ファイル形式が変換され、ＨＤＤ２１６内の一時的に保存されたコンテンツファイルを、有効なフォルダに移動する。
【００６６】
図１７は、ファイルの出力中画面を示す図である。
このような処理Ｓ３０およびＳ３１におけるコンテンツファイルの変換および出力の際には時間がかかることが予想されるため、処理画面表示指示部２１１８Ｊは、描画処理回路２１１５に対して、図１７に示すような出力中画面を表示させる（処理Ｓ３２）。この図１７に示す出力中画面の表示中は、変換および出力処理の進捗状況が監視され、当該進捗状況が、出力中画面にインジケータ表示されるとともに、出力処理の終了判定が行われている（処理Ｓ３３）。
【００６７】
図１８は、出力終了画面を示す図である。
ここで、処理Ｓ３１におけるファイルの出力処理が終了していないと判定された場合には、処理Ｓ３２に戻って、出力中画面の表示を継続する。
一方、出力処理が終了したと判定された場合には、処理画面表示指示部２１１８Ｊは、描画処理回路２１１５に対して、図１８に示すような処理終了画面を表示させる（処理Ｓ３３）。この処理Ｓ３３の後、保存処理Ｓ２０は終了し、ファイル出力／削除処理Ｓも終了する。
【００６８】
（4-4）削除処理Ｓ４０
図１９は、削除処理Ｓ４０の処理フローを示す図である。また、図２０は、ファイル選択画面で処理形式として削除が選択された場合の画面を示す図であり、図２１は、削除確認画面を示す図である。
削除処理Ｓ４０は、図４および図２０に示すように、ファイル選択画面で選択されたファイルの処理形式として削除が選択された場合に実行される。この削除処理Ｓ４０では、図１９に示すように、ファイル選択画面で選択されたコンテンツファイルの削除確認画面を表示する（処理Ｓ４１）。具体的に、処理Ｓ４１では、処理画面表示指示部２１１８Ｊは、描画処理回路２１１５に対して、削除確認画面の画像形成信号を出力し、当該描画処理回路２１１５は、入力した画像形成信号に応じて、図２１に示すような削除確認画面を生成、表示する。
【００６９】
この処理Ｓ４１による削除確認画面の表示の後、ＣＰＵ２１１８は、図１９に示すように、削除確認画面により選択された項目（「ＹＥＳ」または「ＮＯ」）を判定する（処理Ｓ４２）。
ここで、「ＮＯ」が選択されたと判定された場合、すなわち、使用者が「削除しない」を選択したと判定された場合は、削除処理Ｓ４０を終了し、これに伴い、ファイル出力／削除処理Ｓを終了する。
一方、「ＹＥＳ」が選択されたと判定された場合、すなわち、使用者が「削除する」を選択したと判定された場合は、ファイル選択画面で選択されたファイルを削除する（処理Ｓ４３）。具体的に、処理Ｓ４３では、当該選択されたファイルが保存された機器に対して、ＣＰＵ２１１８が、当該ファイルを削除する制御信号を出力する。また、当該ファイルが保存された機器が、受像機本体２１である場合には、ＨＤＤ２１６から該等するコンテンツファイルを削除する。
【００７０】
図２２は、削除完了画面を示す図である。
処理Ｓ４３により、選択されたコンテンツファイルを削除した後、当該コンテンツファイルの削除が完了した旨を示す削除完了画面を表示する（処理Ｓ４４）。具体的には、処理画面表示指示部２１１８Ｊが、描画処理回路２１１５に対して、削除完了画面の画像形成信号を出力し、当該描画処理回路２１１５は、図２２に示すような削除完了画面を生成し、フレームメモリ２１１６および画像出力回路２１１７を介して、画像表示部２１５に表示させる。この処理Ｓ４４の後、削除処理Ｓ４０は終了し、ファイル出力／削除処理Ｓも合わせて終了する。
【００７１】
前記説明した本実施形態のテレビ受像システム１によれば、以下の効果を奏することができる。
すなわち、ファイル出力／削除処理Ｓにおいては、ＣＰＵ２１１８の外部機器探索部２１１８Ａにより、テレビ受像機２の受像機本体２１に接続された外部機器が探索され、コンテンツファイルの出力元となる外部機器を選択する画面が、出力元機器選択画面表示指示部２１１８Ｂおよび描画処理回路２１１５により形成される。
この画面で選択された外部機器または受像機本体２１に保存されたコンテンツファイルは、コンテンツファイル探索部２１１８Ｃによって抽出され、他の機器または自機に出力するコンテンツファイルを選択するファイル選択画面が、ファイル選択画面表示指示部２１１８Ｄおよび描画処理回路２１１５により形成される。
【００７２】
ここで、送信の場合は、選択されたコンテンツファイルを送信する送信先機器を選択する送信先機器選択画面が、出力先機器選択画面表示指示部２１１８Ｅおよび描画処理回路２１１５によって形成され、ファイル形式変換部２１１８Ｈによって、選択されたファイルがストリーミング用ファイルに変換され、ファイル出力部２１１８Ｉによって、送信先機器にストリーミング配信が行われる。
【００７３】
また、保存の場合は、選択されたコンテンツファイルを保存する保存先機器を選択する保存先機器選択画面が、出力先機器選択画面表示指示部２１１８Ｅおよび描画処理回路２１１５によって形成され、当該画面で選択された保存先機器で再生可能なファイル形式の情報が、ファイル形式取得部２１１８Ｆによって取得される。
ファイル形式の情報が取得できた場合には、保存先機器で再生可能なファイル形式から１つを選択するファイル形式選択画面が、また、取得できなかった場合には、ファイル形式変換部２１１８Ｈで変換可能なファイル形式から１つを選択するファイル形式選択画面が、ファイル形式選択画面表示指示部２１１８Ｇおよび描画処理回路２１１５により形成される。
この画面で選択されたファイル形式に基づいて、ファイル形式変換部２１１８Ｈにより、選択されたコンテンツファイルのファイル形式変換が行われ、当該コンテンツファイルは、ファイル出力部２１１８Ｉによって、保存先機器に出力され、保存される。
【００７４】
さらに、削除の場合は、選択されたコンテンツファイルの削除確認画面が、処理画面表示指示部２１１８Ｊおよび描画処理回路２１１５により形成され、削除が選択された場合は、当該ファイルを削除する。
【００７５】
このようなテレビ受像機２によれば、当該テレビ受像機２の受像機本体２１と、当該受像機本体２１に接続された外部機器との間で、ファイルの移動やコピーを行う際に、送信先および保存先で利用可能なファイル形式であるか否かを、使用者が考える手間を無くすことができる。すなわち、保存先の機器が再生可能なファイル形式情報が取得できる限り、保存先の機器に、他の機器から出力されたコンテンツファイルは、当該保存先機器で、確実に再生することができる。従って、テレビ受像機２に接続される保存先機器で、確実に再生可能なコンテンツファイルの入出力を行うことができる。また、使用者は、出力を予定しているコンテンツファイルが、保存先機器で利用できるかどうかを考慮する必要がなくなるので、使用者の手間を省くことができ、このようなシステムに不慣れな者であっても、簡単にファイルの入出力を行うことができる。
【００７６】
また、ファイル形式取得部２１１８Ｆによって取得された保存先機器のファイル形式情報は、ファイル形式選択画面表示指示部２１１８Ｇおよび描画処理回路２１１５によって、ファイル形式選択画面として利用される。すなわち、保存先機器が複数のファイル形式を利用可能な場合に、使用者が所望のファイル形式を選択することができ、当該ファイル形式に応じた変換を、ファイル形式変換部２１１８Ｈが実行する。これによれば、使用者が利用することができるファイル形式の幅を広げることができる。また、このような場合でも、選択されたファイル形式は、保存先機器で利用可能なファイル形式である。従って、使用者のファイル形式の選択の幅を広げることができる。
【００７７】
さらに、出力元機器選択画面表示指示部２１１８Ｂ、出力先機器選択画面表示指示部２１１８Ｅおよび描画処理回路２１１５により、出力元機器、送信先機器および保存先機器の選択が可能である。これによれば、使用者が希望する任意の外部機器３，４，５，６，７および受像機本体２１から、同じく、任意の外部機器３，４，５，６，７および受像機本体２１に、コンテンツファイルを送信・保存することができる。また、保存先機器に保存する場合は、前述のように、ファイル形式取得部２１１８Ｆによって、当該保存先機器で利用可能なファイル形式が取得されるので、保存するコンテンツファイルを、確実に保存先機器で再生することができる。従って、任意の機器から任意の機器に、確実に再生可能なコンテンツファイルを保存することができる。
【００７８】
（５）実施形態の変形
本発明を実施するための最良の構成などは、以上の記載で開示されているが、本発明はこれに限定されるものではない。すなわち、本発明は、主に特定の実施形態に関して特に図示され、かつ、説明されているが、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【００７９】
前記実施形態では、受像機本体２１の制御基板２１１を構成するＣＰＵ２１１８のファイル形式取得部２１１８Ｆが、当該受像機本体２１に接続された外部機器３，４，５，６，７に対して、制御信号を出力して、当該外部機器で再生可能なコンテンツファイルのファイル形式を問い合わせるとしたが、本発明はこれに限らない。例えば、制御基板２１１のＲＯＭ２１１９またはＲＡＭ２１２０、あるいは、ＨＤＤ２１６に、機種名称等の固有情報と、この固有情報を有する外部機器で再生可能なコンテンツファイルのファイル形式とが対応する参照テーブルを備え、ファイル形式取得部２１１８Ｆが、外部機器から取得した固有情報を基に当該参照テーブルを参照して、外部機器で再生可能なコンテンツファイルのファイル形式を取得する構成としてもよい。このような場合、ファイル形式取得に際して、ネットワークＮにアクセスする必要がなくなるので、迅速なファイル形式取得処理を行うことができる。なお、外部機器にアクセスして、再生可能なファイル形式を取得する構成とすれば、受像機本体２１に接続された外部機器が、新たなファイル形式を利用することができるようになった場合でも、当該ファイル形式に対応することができる。
【００８０】
前記実施形態では、制御基板２１１を構成するＲＯＭ２１１９内に、ファイル変換を実行するプログラムを格納するとしたが、当該プログラムは更新可能に構成するようにしてもよい。このような場合、新たなファイル形式が頒布された場合でも、当該新たなファイル形式に対応することができる。
【００８１】
前記実施形態では、受像機本体２１に携帯型画像表示装置３が接続され、また、ネットワークＮを介して、受像機本体２１に、メディアプレイヤ４、携帯型音楽再生装置５、携帯電話機６およびＰＣ７が接続されるとしたが、本発明はこれに限らず、他の構成でも、他の接続態様であってもよい。すなわち、受像機本体２１に何らかの態様で、データの入出力が可能であれば、外部機器の種別等は問わず、また、他の接続態様であってもよい。
【００８２】
前記実施形態では、ファイル形式変換部２１１８Ｈが、入力したコンテンツファイルのファイル形式を変換する処理を実行する際に、受像機本体２１に設けられたＨＤＤ２１６に、当該コンテンツファイルを一時的に記憶させるとしたが、本発明はこれに限らず、ＲＡＭ２１２０に書き込むようにしてもよい。なお、ＨＤＤ２１６に記憶させる構成とすれば、大容量ファイルに対しても無理なく処理を実行することができるとともに、ＨＤＤはＲＡＭに比べ安価であるので、より安価な受像機本体２１およびテレビ受像システム１を構成することができる。
【００８３】
前記実施形態では、ファイル出力／削除処理Ｓの保存処理Ｓ２０において、ネットワークＮを介して受像機本体２１に接続されたメディアプレイヤ４から、受像機本体２１にＵＳＢ端子を介して接続された携帯型画像表示装置３に、コンテンツファイルを出力するとしたが、出力元機器および保存先機器の位置は問わない。また、送信処理Ｓ１０および削除処理Ｓ４０においても同様である。
【００８４】
前記実施形態では、画像表示装置として、液晶テレビを採用したが、本発明はこれに限らず、入力される画像情報に応じた画像を表示する画像表示手段と、装置全体を制御する制御手段とを備えた画像表示装置であれば、他のものでもよい。例えば、プラズマディスプレイや、ＣＲＴ（Cathode Ray Tube）ディスプレイ、プロジェクタ等を挙げることができる。
【産業上の利用可能性】
【００８５】
本発明は、ホームネットワークに接続されるテレビ受像機等の画像表示装置に利用できる他、ネットワークを介さずに、外部インターフェースに外部機器が直接接続される接続態様の画像表示装置にも利用することができる。
【図面の簡単な説明】
【００８６】
【図１】本発明の一実施形態に係るテレビ受像システムの構成図。
【図２】前記実施形態における受像機本体の構成を示すブロック図。
【図３】前記実施形態におけるＣＰＵの機能分類を示すブロック図。
【図４】前記実施形態におけるファイル出力／削除処理の処理フローを示す図。
【図５】前記実施形態における出力元機器選択画面を示す図。
【図６】前記実施形態におけるファイル選択画面を示す図。
【図７】前記実施形態における送信が選択されたファイル選択画面を示す図。。
【図８】前記実施形態における送信処理の処理フローを示す図。
【図９】前記実施形態における送信先機器選択画面を示す図。
【図１０】前記実施形態におけるファイル配信中画面を示す図。
【図１１】前記実施形態におけるファイル配信終了画面を示す図。
【図１２】前記実施形態における保存処理の処理フローを示す図。
【図１３】前記実施形態における保存が選択されたファイル選択画面を示す図。
【図１４】前記実施形態における保存先機器選択画面を示す図。
【図１５】前記実施形態におけるファイル形式情報が取得できた場合のファイル形式選択画面を示す図
【図１６】前記実施形態におけるファイル形式情報が取得できなかった場合のファイル形式選択画面を示す図。
【図１７】前記実施形態における出力中画面を示す図。
【図１８】前記実施形態における出力終了画面を示す図。
【図１９】前記実施形態における削除処理の処理フローを示す図。
【図２０】前記実施形態における削除が選択されたファイル選択画面を示す図。
【図２１】前記実施形態における削除確認画面を示す図。
【図２２】前記実施形態における削除完了画面を示す図。
【符号の説明】
【００８７】
１…テレビ受像システム、２…テレビ受像機、３…携帯型画像表示装置、４…メディアプレイヤ、５…携帯型音楽再生装置、６…携帯電話機、７…ＰＣ、２１１…制御基板、２１３…インターフェース基板、２１５…画像表示部、２１１５…描画処理回路、２１１６…フレームメモリ、２１１７…映像出力回路、２１１８Ａ…外部機器探索部、２１１８Ｆ…ファイル形式取得部、２１１８Ｈ…ファイル形式変換部、２１１８Ｉ…ファイル出力部。
【図１】
2006217529.tif 000003
【図２】
2006217529.tif 000004
【図３】
2006217529.tif 000005
【図４】
2006217529.tif 000006
【図５】
2006217529.tif 000007
【図６】
2006217529.tif 000008
【図７】
2006217529.tif 000009
【図８】
2006217529.tif 000010
【図９】
2006217529.tif 000011
【図１０】
2006217529.tif 000012
【図１１】
2006217529.tif 000013
【図１２】
2006217529.tif 000014
【図１３】
2006217529.tif 000015
【図１４】
2006217529.tif 000016
【図１５】
2006217529.tif 000017
【図１６】
2006217529.tif 000018
【図１７】
2006217529.tif 000019
【図１８】
2006217529.tif 000020
【図１９】
2006217529.tif 000021
【図２０】
2006217529.tif 000022
【図２１】
2006217529.tif 000023
【図２２】
2006217529.tif 000024